(57)【要約】【課題】セルブロードキャストメッセージの受信回数を抑えて、通信端末装置のバッテリーの消費を削減すること。【解決手段】セルＩＤ抽出部１０８で今回抽出したセルＩＤと、セルＩＤ記憶部１１０に最後に記憶したセルＩＤとを比較部１０９で比較する。利用者が移動して通信端末装置１００が属するセルが移り、比較部１０９の比較結果が変化すると、ＣＴＣＨ受信制御部１１３およびＣＴＣＨ受信部１１１を介して、新しいセルブロードキャスト（ＣＢ）メッセージなどをＣＢメッセージ抽出部１１２で抽出し、さらにメモリ１０３を介して、表示部１２１に表示し、新しいＣＢメッセージを利用者に報知する。一方、セルの移動がなく、比較部１０９の出力が変化しない場合は、所定期間経過するまでは、ＣＴＣＨ受信部１１１での受信を行わず、先行する回に取得したＣＢメッセージを表示する。【選択図】図１
2007295174.tif 000002
【特許請求の範囲】
【請求項１】
セルを識別するセル識別情報およびセルブロードキャストメッセージを受信する受信手段と、
受信した前記セル識別情報を記憶する記憶手段と、
前記記憶手段に記憶した前記セル識別情報と前記受信手段で受信したセル識別情報との比較結果に基づいて前記セルブロードキャストメッセージの受信を制御する制御手段と、
を具備する通信端末装置。
【請求項２】
前記制御手段は、前記記憶手段に記憶した前記セル識別情報のセルと前記受信手段で受信したセル識別情報のセルとが一致する前記比較結果である場合に、前記セルブロードキャストメッセージを受信しないように制御する請求項１記載の通信端末装置。
【請求項３】
前記制御手段は、所望のセルブロードキャストメッセージの受信が全て終了してから所定期間経過した際には前記比較結果にかかわりなく前記セルブロードキャストメッセージを受信するように制御する請求項１記載の通信端末装置。
【請求項４】
セルを識別するセル識別情報およびセルブロードキャストメッセージを受信する受信ステップと、
受信した前記セル識別情報を記憶する記憶ステップと、
前記記憶ステップで記憶した前記セル識別情報と前記受信ステップで受信したセル識別情報との比較結果に基づいて前記セルブロードキャストメッセージの受信を制御する制御ステップと、
を具備する通信端末装置の制御方法。
【発明の詳細な説明】
【技術分野】
【０００１】
本発明は、セルブロードキャストメッセージを受信する通信端末装置およびその制御方法に関する。
【背景技術】
【０００２】
基地局装置から特定地域すべての移動局である通信端末装置に対してブロードキャストを行うセルブロードキャストについては、利用者が居るその時点、その場所における個々のニーズに応じたサービスが提供できる点が注目され、種々のサービスに関する提案がされている。
【０００３】
この場合、例えば、ＵＭＴＳ（Universal Mobile Telecommunications System）においては、通信端末装置は、セルブロードキャスト受信の機能を司る機能ブロックであるＢＭＣ(Broadcast/Multicast Control)部が、上位レイヤ部から同一メッセージの複数回受信を要求された場合には、セルブロードキャストメッセージ繰り返し周期(Repetition-Period)ごとに、受信動作を行うことができる（例えば非特許文献１参照））。これによって、通信端末装置は、常に最新の情報をセルブロードキャスト受信することができる。
【０００４】
しかし、セルブロードキャストメッセージ繰り返し周期ごとにセルブロードキャストを受信すると、通信端末装置のバッテリーの電力消費が大きくなり、通信端末装置を長時間連続使用できない問題がある。
【０００５】
この問題に対しては、従来色々な対策方法が提案されており、その一つは、利用者が通信端末装置の特定キー押下をしてセルブロードキャストメッセージの取得要求をした場合にはじめて、セルブロードキャストメッセージの受信を開始するという技術である（例えば、非特許文献２参照）。
【０００６】
また、別の通信端末装置のバッテリーの消費電力を抑える方法として、受信した先頭部分の情報内容に従い、セルブロードキャストメッセージの受信が必要か否かを判断し、不必要と判断した場合には、受信したセルブロードキャストメッセージの後方部分の受信を停止するものが提案されている(例えば、特許文献１参照)。
【０００７】
具体的には、特許文献１の通信システムにおいては、セルブロードキャストメッセージであるＳＭＳ−ＣＢ（Ｓｈｏｒｔ Ｍｅｓｓａｇｅ Ｓｅｒｖｉｃｅ−Ｃｅｌｌ Ｂｒｏａｄｃａｓｔ）メッセージは３個のブロックから構成され、通信端末装置はＳＭＳ−ＣＢメッセージの最初のブロックを受信すると、ブロック内容を判定し、判定結果に応じて不要な場合には後続の２つのブロックの受信を停止し、バッテリーの電力消費を抑えている。
【非特許文献１】３ＧＰＰ  ＴＳ２３．０４１
【非特許文献２】３ＧＰＰ  ＴＳ２５．３２４
【特許文献１】特開２００４−２００９４３号公報（図３、図１２および明細書の関連説明）
【発明の開示】
【発明が解決しようとする課題】
【０００８】
しかしながら、従来の通信端末装置にあっては、非特許文献２のような従来技術では、利用者によるキー押下などの取得要求があってはじめて、セルブロードキャストメッセージの受信を開始しているため、利用者が要求するときだけバッテリーの電力が消費される点で有利であるが、利用者によるキー押下後データ取得に時間がかかる。すなわち、利用者の要求があっても利用者に情報を即座に提供することができず、利用者へのサービスレベルは低いものとなっている。
【０００９】
これに対し、特許文献１の従来技術では、通信端末装置は、セルブロードキャストメッセージが基地局装置から送信される毎に受信するので、利用者には最新のブロードキャストメッセージを提供できるが、その分通信端末装置の受信のためのバッテリーでの電力消費は大きくなる。また、ＳＭＳ−ＣＢメッセージの最初のブロックの内容に従い後続のブロックの受信の要否を判定する場合でも、通信端末装置は、ＳＭＳ−ＣＢメッセージは基地局装置が送信する毎に受信するのでバッテリーでの電力消費の削減を十分に行えないという課題がある。
【００１０】
特に、通信端末装置を所持する利用者が任意の特定地域から移動しない場合には、この通信端末装置は、同じセルブロードキャストメッセージを繰り返し受信する頻度が高くなる。利用者が自動車や電車などに乗っていて、相対的に高速で移動する場合には通信端末装置は連続し相互に異なる複数のセルから順次サービスの提供を受けることとなるが、利用者が徒歩で移動しており、あるいは特定位置にほぼ停止していると認められる等、利用者が相対的に低速で移動しているような場合には、通信端末装置がサービスの提供を受けるセルは同一である場合が多くなるため、結局同じセルから同じセルブロードキャストメッセージを受信する確率は高くなる。
【００１１】
加えて、セルブロードキャストメッセージを用いる利用者に対するサービスは、本来的に地域性を有するサービスである場合が多いので、高速移動する利用者に対しては順次サービス内容が報知される。
【００１２】
また一方、高速移動をしない利用者の場合、徒歩で移動していた利用者が敢えて立ち止まって、あるいは特定位置に停止している利用者がサービス内容を通信端末装置の表示部の表示を視覚によって確認する等して、セルブロードキャストメッセージを利用する場合も多いと思われる。このような場合に、同じセルブロードキャストメッセージを受信しても利用者のサービス向上には寄与せず、同じセルブロードキャストメッセージを繰り返し受信することは、通信端末装置のバッテリーの消費電力を大きくし、通信端末装置の連続的使用を時間的に制限し、利用者のサービス低下を招くおそれがある。今後、各種バラエティーに富んだサービスが提供されセルブロードキャストメッセージのサービスが拡大される場合には、各利用者はさほど多くのサービス提供を望むわけではなく、すべての提供されるサービスに対しては、ごく一部のセルブロードキャストメッセージを受信すれば十分の場合が多いと思われる。このような場合に、利用者が希望しないサービスを検出することにより通信端末装置のバッテリーが消費されることは、大きな問題となると発明者は予想している。
【００１３】
本発明はかかる点に鑑みてなされたものであり、セルブロードキャストメッセージの受信回数を抑えて、セルブロードキャストメッセージを受信するに当たってバッテリーでの電力消費を削減することができる通信端末装置及びその制御方法を提供することを目的とする。
【課題を解決するための手段】
【００１４】
かかる課題を解決するため本発明の通信端末装置は、セルを識別するセル識別情報およびセルブロードキャストメッセージを受信する受信手段と、受信した前記セル識別情報を記憶する記憶手段と、前記記憶手段に記憶した前記セル識別情報と前記受信手段で受信したセル識別情報との比較結果に基づいて前記セルブロードキャストメッセージの受信を制御する制御手段と、を具備する構成を採る。
【００１５】
また本発明の通信端末装置の制御方法は、セルを識別するセル識別情報およびセルブロードキャストメッセージを受信する受信ステップと、受信した前記セル識別情報を記憶する記憶ステップと、前記記憶ステップで記憶した前記セル識別情報と前記受信ステップで受信したセル識別情報との比較結果に基づいて前記セルブロードキャストメッセージの受信を制御する制御ステップと、を具備する。
【発明の効果】
【００１６】
本発明によれば、セルブロードキャストメッセージ（以下、ＣＢメッセージという。）の受信回数を抑えて、セルブロードキャストメッセージを受信するに当たって通信端末装置のバッテリーでの電力消費を削減することができる。
【発明を実施するための最良の形態】
【００１７】
以下、本発明の実施の形態について図面を参照して詳細に説明する。
【００１８】
（実施の形態１）
図１は、本発明の実施の形態に係る通信端末装置１００の構成を示すブロック図である。
【００１９】
通信端末装置１００は、ユーザ指令部１０１と、通信事業者と利用者との契約内容等を示す情報を記憶したＩＣカード（以下、ＵＳＩＭと呼ぶ。）１０２と、メモリ１０３と、メッセージＩＤ記憶部１０４と、送受信アンテナ１０５と、無線増幅部１０６と、ＣＰＩＣＨ受信部１０７と、セルＩＤ抽出部１０８と、比較部１０９と、セルＩＤ記憶部１１０と、ＣＴＣＨ受信部１１１と、ＣＢメッセージデータ抽出部１１２と、ＣＴＣＨ受信制御部１１３と、比較部１１４と、時計部１１５と、時刻データ記憶部１１６と、ＣＢメッセージ記憶部１１７と、閾値設定部１１８と、比較部１１９と、表示更新部１２０と、表示部１２１とから主に構成される。
【００２０】
ユーザ指令部１０１は、通信端末装置１００の利用者が操作することにより、各種の指令信号を通信端末装置１００の各部に出力する。ＵＳＩＭ１０２は、契約内容の一部としてメッセージＩＤも記憶しており、利用者は予め通信端末装置１００にＵＳＩＭ１０２を挿入することにより、ＵＳＩＭ１０２に記憶されているメッセージＩＤがメモリ１０３のメッセージＩＤ記憶部１０４に記憶される。メッセージＩＤ記憶部１０４は、ｎ個のメッセージＩＤ（Ｍｉ但し、ｉは０〜ｎ）を記憶する。
【００２１】
送受信アンテナ１０５は、基地局装置が無線送信するセルＩＤ等を受信して、無線増幅部１０６に出力する。無線増幅部１０６は、送受信アンテナ１０５からの無線信号を増幅して受信信号を各部に出力する。
【００２２】
ＣＰＩＣＨ（Common Pilot Channel:共通パイロットチャネル）受信部１０７は、無線増幅部１０６から入力した受信信号を処理してＣＰＩＣＨ受信信号を出力する。このＣＰＩＣＨ受信信号には、セルを識別するための情報であるセル識別情報、例えばセルＩＤを含んでいる。
【００２３】
セルＩＤ抽出部１０８は、ＣＰＩＣＨ受信部１０７から入力したＣＰＩＣＨ信号からセルＩＤを抽出し、比較部１０９とセルＩＤ記憶部１１０に出力する。
【００２４】
セルＩＤ記憶部１１０は、直近に検出したセルＩＤを記憶し、比較部１０９にセルＩＤを出力している。
【００２５】
例えば比較部１０９は、抽出した最新のセルＩＤと最後に記憶したセルＩＤを比較し、通信端末装置１００が利用者によって移動させられ、その属するセルが変化すると、セルＩＤの変化を示す比較結果信号を出力する。なお、セルＩＤ記憶部１１０は、この比較結果信号に基づき、新しいセルＩＤをセル抽出部１０８から受けて記憶する。
【００２６】
ＣＴＣＨ（Common Traffic Channel  共通トラフィックチャネル）受信部１１１は、無線増幅部１０６の受信信号を処理して、メッセージＩＤ、セルブロードキャストメッセージを含む、ＣＴＣＨデータをＣＢメッセージデータ抽出部１１２に出力する。
【００２７】
ＣＴＣＨ受信制御部１１３は、比較部１０９の出力を受けて、比較結果が不一致でセルＩＤが変化したことを示す場合には、ＣＴＣＨ受信部１１１にＣＴＣＨ受信指令を出力する。一方、比較結果が一致でセルＩＤが変化していないことを示す場合、すなわち、通信端末装置１００が同一セルに属している場合、ＣＴＣＨ受信制御部１１３は、比較部１０９の出力に基づくＣＴＣＨ受信部１１１のＣＴＣＨ受信の指令を行わない。なお、一致する場合に限らず、隣接セルで同一のＣＢメッセージを送信している場合には、比較結果が隣接セルのセルＩＤである場合に、ＣＴＣＨ受信の指令を行わないようにしてもよい。
【００２８】
比較部１１４は、メッセージＩＤ記憶部１０４に記憶しているメッセージＩＤ（Ｍｉ（ｉ＝０〜ｎ））とＣＢメッセージデータ抽出部１１２で受信・記憶したメッセージＩＤとを比較し、比較結果信号をＣＴＣＨ受信制御部１１３に出力する。比較部１１４は、メッセージＩＤ記憶部１０４に記憶したすべてのメッセージＩＤを受信するまで比較結果を維持する。比較部１１４からのこの比較結果を受けて、ＣＴＣＨ受信制御部１１３は該当するすべてのメッセージＩＤを受信するまでは、ＣＴＣＨ受信部１１１に対しＣＴＣＨ受信指令を維持する。この結果、ＣＢメッセージデータ抽出部１１２は、メッセージＩＤ記憶部１０４に記憶したメッセージＩＤと同じメッセージＩＤのＣＢメッセージを受信する。
【００２９】
このようにしてすべてのＣＢメッセージを受信すると、比較部１１４はＣＢメッセージの受信終了を示す信号を時計部１１５に出力する。これにともない時計部１１５は、現在時刻をＣＢメッセージデータ抽出部１１２に出力し、ＣＢメッセージデータ抽出部１１２は、現在時刻を記憶する。
【００３０】
次にメモリ１０３の時刻データ記憶部１１６とＣＢメッセージ記憶部１１７とは、このようにして通信端末装置１００が新しいＣＢメッセージを受信する毎に、ＣＢメッセージデータ記憶部１１２から、ＣＢメッセージ受信時刻とＣＢメッセージとをそれぞれ入力し、記憶する。
【００３１】
比較部１１９は、時計部１１５が示す現在時刻と時刻データ記憶部１１６に記憶した受信時刻との差が、閾値設定部１１８に利用者が予め設定した閾値よりも大きいか否かを比較する。この比較に基づき、閾値よりも大きい場合には、比較部１１４は、ＣＴＣＨ受信制御部１１３にその旨を出力する。この出力に応じ、ＣＴＣＨ受信制御部１１３は、ＣＴＣＨ受信部１１１に受信指令を出力する。これによって通信端末装置１００は、セルＩＤが変化しない場合も、閾値設定部１１８に定める時間を経過すると、新しいＣＢメッセージを受信する。
【００３２】
表示更新部１２０は、比較部１０９および１１９の出力に基づき、メモリ１０３に記憶しているメッセージＩＤ、時刻データおよびＣＢメッセージを表示部１２１に出力し、表示部１２１の表示内容を更新する。これによって、利用者は表示部１２１の内容を視認して、最新のＣＢメッセージなどを確認できる。なお、ＣＢメッセージが音声データの場合は、音声による報知を行うこともできる。
【００３３】
図２は、本発明の実施の形態に係る通信端末装置１００の動作を説明するためのフロー図である。
【００３４】
以下、図２に基づき、通信端末装置１００の動作を説明する。
【００３５】
最初、利用者がユーザ指令部１０１の電源投入ボタン（図示せず）を操作して通信端末装置１００に電源を投入すると、ＵＳＩＭ１０２に記憶されているメッセージＩＤは、メモリ１０３のメッセージＩＤ記憶部１０４に、転送され記憶される（ＳＴ２０１）。これによって、通信端末装置１００の初期処理が終了する。
【００３６】
次に通信端末装置１００は通常の動作を開始する。これに伴い。送受信アンテナ１０５は、現在属しているセルからの無線信号を受信し、無線増幅部１０６に出力する。無線増幅部１０６は、受信信号をＣＰＩＣＨ受信部１０７に出力する。セルＩＤ抽出部１０８は、ＣＰＩＣＨ受信部１０７から入力したＣＰＩＣＨ受信信号から現在のセルＩＤ（今、このセルＩＤを、Ｃｊとする）を比較部１０９に出力する。このときは、最初のセルＩＤの取得動作であるので、セルＩＤ記憶部１１０の記憶内容と今回取得したセルＩＤとは一致しないので、通信端末装置１００は、新しいセルＩＤ（Ｃｊ）を取得したことを認識し、新しいセルＩＤ（Ｃｊ）をセルＩＤ記憶部１１０に記憶する（ＳＴ２０２）。
【００３７】
次に通信端末装置１００は、新しいセルＩＤを取得したことに応じて、ＣＴＣＨ受信部１１１を起動して、セルブロードキャストメッセージの受信を開始する（ＳＴ２０３）。
【００３８】
ステップＳＴ２０３でのセルブロードキャストの受信を開始すると、通信端末装置１００は、受信したメッセージＩＤとメッセージＩＤ記憶部１０４に予め記憶していたメッセージＩＤとを比較部１１４で全て比較する（ＳＴ２０４）。通信端末装置１００は、比較部１１４の比較の結果に基づきメッセージＩＤ記憶部１０４に記憶されているメッセージＩＤの情報を順次受信し、ＣＢメッセージデータ抽出部１１２に記憶する（ＳＴ２０５）。すべてのメッセージＩＤの情報を受信するまでは、通信端末装置１００は制御をステップＳＴ２０４に移す。このようにして全てのメッセージＩＤの情報の受信が終了すると（ＳＴ２０４：ＹＥＳ）、セルブロードキャストメッセージ（Ｍｉ、Ｃｊ）の受信は終了する（ＳＴ２０６）。これによって通信端末装置１００は、ＣＢメッセージデータ抽出部１１２に、利用者が選択した全てのメッセージＩＤのＣＢメッセージを記憶する。なお、すべてのメッセージＩＤの情報を受信したか否かは、比較部１１４の比較結果で判定され、比較部１１４のすべてのメッセージＩＤの情報を受信した比較結果は時計部１１５に出力される。
【００３９】
この結果、通信端末装置１００は、時計部１１５から現在時刻を取得し受信時刻として、ＣＢメッセージデータ抽出部１１２に記憶する（ＳＴ２０７）。次に、通信端末装置１００は、ＣＢメッセージデータ抽出部１１２の記憶内容をメモリ１０３の時刻データ記憶部１１６およびＣＢメッセージ記憶部１１７に転送して記憶する（ＳＴ２０８）。
【００４０】
このようにしてすべてのメッセージＩＤの情報の記憶を終了すると、通信端末装置１００は、ＣＰＩＣＨ受信部１０７でセルＩＤを繰り返し受信し、比較部１０９の比較結果からセルＩＤが変化したか否かを判定する（ＳＴ２０９）。
【００４１】
セルＩＤが変化していない場合（ＳＴ２０９：ＮＯ）は、通信端末装置１００は、時計部１１５が示す現在時刻とメモリ１０３の時刻データ記憶部１１６に記憶していた受信時刻とを比較部１１９で比較し、両時刻の差が閾値設定部１１８に設定した時間を経過したか否かを判定する（ＳＴ２１０）。当初は、両時刻の差は閾値設定部１１８に設定した時間に達しないので、ステップＳＴ２１０の判定結果はＮＯとなり、通信端末装置１００は制御をステップＳＴ２０９に移す。
【００４２】
この結果、通信端末装置１００は、セルＩＤが変化する（ＳＴ２０９：ＹＥＳ）か、前回のセルブロードキャストメッセージ受信後閾値設定部１１８が定める時間が経過する（ＳＴ２１０：ＹＥＳ）かするまでは、ステップＳＴ２０９およびＳＴ２１０の判定結果は「ＮＯ」となり、両ステップを繰り返す。これによって、通信端末装置１００は、セル領域を超えて移動し新しいメッセージＩＤの取得が必要になるか、あるいは前回のセルブロードキャストメッセージ受信後所定時間が経過して該当基地局装置が新しいセルブロードキャストメッセージを送信する可能性が高くなるまでは、ＣＴＣＨ受信部１１１で受信動作を行わないので、その分消費電力を抑制することができる。
【００４３】
一方、利用者が移動し通信端末装置１００が異なるセルに属した場合（ＳＴ２０９：ＹＥＳ）には、通信端末装置１００は、ＣＰＩＣＨ受信部１０７で受信する新たなセルＩＤをセルＩＤ抽出部１０８で認識する（ＳＴ２０２）。その結果新たなセルに属したことが比較部１０９の比較結果が不一致となることで検出され、この比較結果はＣＴＣＨ受信制御部１１３に出力される。この出力に伴いＣＴＣＨ受信制御部１１３は、ＣＴＣＨ受信部１１１を受信状態に制御する。これに伴い、ＣＴＣＨ受信部１１１は、新しいセルブロードキャスト（ＣＴＣＨ）の受信を開始する（ＳＴ２０３）。続いて、通信端末装置１００は制御をステップＳＴ２０４に移し、以下通信端末装置１００は先に説明した内容を実行し、新しいセルが提供する新しいセルブロードキャストメッセージを受信して、ＣＢメッセージデータ抽出部１１２に順次記憶する（ＳＴ２０４〜２０６）。
【００４４】
又、セルＩＤが変化しない場合であっても、通信端末装置１００は、閾値設定部１１８が定める時間を経過すると（ＳＴ２１０：ＹＥＳ）、制御をステップＳＴ２０２に移してセルＩＤを認識（ＳＴ２０２）し、改めてセルブロードキャストメッセージを受信する。具体的には、前回の受信後所定時間を経過すると、前回のセルブロードキャスト情報を受信した時刻として時刻データ記憶部１１６が記憶している時刻と時計部１１５が示す現在時刻との比較部１１９における比較結果は、一致を示す結果となり、この一致の比較結果は、ＣＴＣＨ受信制御部１１３に出力される。この出力を受けてＣＴＣＨ受信制御部１１３は、ＣＴＣＨ受信部１１１を受信状態に制御する。これに伴い、ＣＴＣＨ受信部１１１は、新しいセルブロードキャストメッセージを受信する（ＳＴ２０３）。これによって、通信端末装置１００は、閾値設定部１１８で定める時間を経過すると、セルＩＤが変化しない場合であっても、以下、ステップＳＴ２０４〜２０６を実行し、新しいセルブロードキャストメッセージを全て受信して、ＣＢメッセージデータ抽出部１１２に順次記憶する。
【００４５】
このようにして新しいセルブロードキャスト情報の受信を終了する（ＳＴ２０６）と、以下先に説明した場合と同様、ＣＢメッセージデータ抽出部１１２は受信時刻を記憶し（ＳＴ２０７）、その後ＣＢメッセージ抽出部１１２の記憶内容は、記憶部１０３に転送されて記憶される。
【００４６】
このように記憶部１０３に記憶されたセルブロードキャスト情報は、比較部１０９若しくは比較部１１９からの比較結果を受ける表示更新部１２０が表示部１２１を駆動して表示される。これによって、表示部１２１は、通信端末装置１００が新しいセルブロードキャスト情報を受信するごとに、受信内容を表示部１２１に表示する。
【００４７】
通信端末装置１００は、以上の一連の動作を繰り返すことによって、表示部１２１に常に新しいセルブロードキャストメッセージを表示する。
【００４８】
以上のように、本実施の形態に係る通信端末装置によれば、通信端末装置１００はその属するセルが変化しない場合は、ＣＢサービスを受けるための受信動作を行わないので、電源の消費を最小限に抑えることができる。
【００４９】
また、本実施の形態に係る通信端末装置によれば、セルが変化しない場合であっても、予め設定した所定期間を経過すると、ＣＢメッセージを自動的に再受信して、最新のＣＢサービスに記憶内容を更新している。従って、本実施の形態に係る通信端末装置によれば、利用者がＣＢサービスの受信要求操作をした際には、以前に記憶した古いサービス内容では無く、該当の基地局装置が提供する最新のサービス内容が利用者に対し即座に表示される。このサービス内容の新しさと通信端末装置の消費電力の削減とはトレードオフの関係にあり、閾値設定部１１８で定める時間を利用者が期待するサービスレベルに応じて設定することにより、通信端末装置の消費電力を十分に削減しつつ、利用者も納得ができるレベルのサービスが可能となり、利用者の満足度を高めることができる。
【産業上の利用可能性】
【００５０】
本発明に係る通信端末装置およびその制御方法は、消費電力を抑えながらブロードキャストメッセージを受信するのに好適である。
【図面の簡単な説明】
【００５１】
【図１】本発明の実施の形態に係る通信端末装置の構成を示すブロック図
【図２】本発明の実施の形態に係る通信端末装置の動作を説明するためのフロー図
【符号の説明】
【００５２】
１００  通信端末装置
１０３  メモリ
１０６  無線増幅部
１０７  ＣＰＩＣＨ受信部
１０８  セルＩＤ抽出部
１０９、１１４、１１９  比較部
１１０  セルＩＤ記憶部
１１１  ＣＴＣＨ受信部
１１２  ＣＢメッセージデータ抽出部
１１３  ＣＴＣＨ受信制御部
１１７  ＣＢメッセージ記憶部
１２０  表示更新部
１２１  表示部
【図１】
2007295174.tif 000003
【図２】
2007295174.tif 000004